【手続補正書】
【提出日】平成25年3月14日(2013.3.14)
【手続補正１】
【補正対象書類名】明細書
【補正対象項目名】発明の名称
【補正方法】変更
【補正の内容】
【発明の名称】画像処理装置及びその制御方法
【手続補正２】
【補正対象書類名】明細書
【補正対象項目名】０００１
【補正方法】変更
【補正の内容】
【０００１】
本発明は、画像データを管理する画像処理装置及びその制御方法に関する。
【手続補正３】
【補正対象書類名】明細書
【補正対象項目名】００１１
【補正方法】変更
【補正の内容】
【００１１】
上記目的を達成するために、本発明の画像処理装置は、撮影して得られる画像コンテンツに対応する位置情報が、目的地を示すか通過点を示すかを判定する判定手段と、前記目的地に関する情報を、前記画像コンテンツに関する情報として出力する出力手段とを有し、前記判定手段によって、前記画像コンテンツに対応する位置情報が、前記通過点を示すと判定された場合、前記出力手段は、前記画像コンテンツに対応する位置情報が示す位置に関する情報と前記目的地に関する情報とを、前記画像コンテンツに関する情報として出力する。
【手続補正４】
【補正対象書類名】特許請求の範囲
【補正対象項目名】全文
【補正方法】変更
【補正の内容】
【特許請求の範囲】
【請求項１】
撮影して得られる画像コンテンツに対応する位置情報が、目的地を示すか通過点を示すかを判定する判定手段と、
前記目的地に関する情報を、前記画像コンテンツに関する情報として出力する出力手段とを有し、
前記判定手段によって、前記画像コンテンツに対応する位置情報が、前記通過点を示すと判定された場合、前記出力手段は、前記画像コンテンツに対応する位置情報が示す位置に関する情報と前記目的地に関する情報とを、前記画像コンテンツに関する情報として出力することを特徴とする画像処理装置。
【請求項２】
撮影して得られる画像コンテンツに対応する位置情報が、目的地を示すか、前記目的地に到着する前に決定された位置情報に基づく位置を示すかを判定する判定手段と、
前記目的地に関する情報を、前記画像コンテンツに関する情報として出力する出力手段とを有し、
前記判定手段によって、前記画像コンテンツに対応する位置情報が、前記目的地に到着する前に決定された位置情報に基づく位置を示すと判定された場合、前記出力手段は、前記画像コンテンツに対応する位置情報が示す位置に関する情報と前記目的地に関する情報とを、前記画像コンテンツに関する情報として出力することを特徴とする画像処理装置。
【請求項３】
前記出力手段は更に前記画像コンテンツを出力することを特徴とする請求項１または２に記載の画像処理装置。
【請求項４】
前記出力手段は、前記目的地に関する情報を記録装置に出力することを特徴とする請求項１乃至３のいずれか１項に記載の画像処理装置。
【請求項５】
前記出力手段は、前記目的地に関する情報を表示装置に出力することを特徴とする請求項１乃至４のいずれか１項に記載の画像処理装置。
【請求項６】
前記判定手段は、前記画像処理装置が、外部装置に接続されたことに応じて前記判定を実行することを特徴とする請求項１乃至５の何れか１項に記載の画像処理装置。
【請求項７】
既に決定済みの位置情報が対応付けられた画像コンテンツを取得する手段を更に有し、
前記判定手段は、前記画像コンテンツが取得されたことに応じて前記判定を実行することを特徴とする請求項１乃至６の何れか１項に記載の画像処理装置。
【請求項８】
前記判定手段は予め設定された条件に基づき、前記判定を実行することを特徴とする請求項１乃至７のいずれか１項に記載の画像処理装置。
【請求項９】
前記条件は、前記画像コンテンツに対応する日時情報に関する条件を含むことを特徴とする請求項８に記載の画像処理装置。
【請求項１０】
前記条件は、前記画像コンテンツに対応する位置情報が示す場所の滞在時間に関する条件を含み、
前記滞在時間は、前記画像コンテンツに対応する日時情報に基づき決定されることを特徴とする請求項９に記載の画像処理装置。
【請求項１１】
位置情報が対応付けられている複数の画像コンテンツを参照する手段を更に有し、
前記条件は、前記複数の画像コンテンツのうち、画像コンテンツに対応する位置情報が示す場所で撮影された画像コンテンツの数に関する条件を含むことを特徴とする請求項８乃至１０のいずれか１項に記載の画像処理装置。
【請求項１２】
前記判定手段は、前記画像コンテンツに対応する情報と、他の画像コンテンツに対応する情報とに基づき前記判定を実行することを特徴とする請求項１乃至１１のいずれか１項に記載の画像処理装置。
【請求項１３】
前記位置情報は緯度および経度の情報を含むことを特徴とする請求項１乃至１２のいずれか１項に記載の画像処理装置。
【請求項１４】
前記目的地に関する情報は前記目的地の地名を含むことを特徴とする請求項１乃至１３のいずれか１項に記載の画像処理装置。
【請求項１５】
前記位置情報が示す位置に関する情報は前記位置情報が示す位置の地名を含むことを特徴とする請求項１乃至１４のいずれか１項に記載の画像処理装置。
【請求項１６】
被写体を撮影して画像コンテンツを生成する撮影手段を更に有することを特徴とする請求項１乃至１５のいずれか１項に記載の画像処理装置。
【請求項１７】
前記位置情報を取得する取得手段と、
前記撮影手段により生成された画像コンテンツに、前記取得手段により取得された位置情報が示す位置に関する情報を付加する付加手段とを更に有することを特徴とする請求項１６に記載の画像処理装置。
【請求項１８】
前記位置情報は、前記撮影手段による撮影中でなくとも定期的に位置情報を取得することを特徴とする請求項１７に記載の画像処理装置。
【請求項１９】
撮影して得られる画像コンテンツに対応する位置情報が、目的地を示すか通過点を示すかを判定する判定手段と、
前記画像コンテンツに関する情報であって、前記目的地に関する情報を含む情報である関連情報を出力する出力手段とを有し、
前記判定手段によって、対応する位置情報が前記通過点を示すと判定された画像コンテンツに関する関連情報は、前記画像コンテンツに対応する位置情報が示す位置に関する情報と前記目的地に関する情報とを含むことを特徴とする画像処理装置。
【請求項２０】
撮影して得られる画像コンテンツに対応する位置情報が、目的地を示すか、前記目的地に到着する前に決定された位置情報に基づく位置を示すかを判定する判定手段と、
前記画像コンテンツに関する情報であって、前記目的地に関する情報を含む情報である関連情報を出力する出力手段とを有し、
前記判定手段によって、対応する位置情報が前記目的地に到着する前に決定された位置情報に基づく位置を示すと判定された画像コンテンツに関する関連情報は、前記画像コンテンツに対応する位置情報が示す位置に関する情報と前記目的地に関する情報とを含むことを特徴とする画像処理装置。
【請求項２１】
撮影して得られる画像コンテンツに対応する位置情報が、目的地を示すか、前記目的地に到着する前に決定された位置情報に基づく位置を示すかを判定する判定ステップと、
前記目的地に関する情報を、前記画像コンテンツに関する情報として出力する出力ステップとを有し、
前記判定ステップで、前記画像コンテンツに対応する位置情報が、前記目的地に到着する前に決定された位置情報に基づく位置を示すと判定された場合、前記出力ステップでは、前記画像コンテンツに対応する位置情報が示す位置に関する情報と前記目的地に関する情報とを、前記画像コンテンツに関する情報として出力することを特徴とする画像処理装置の制御方法。
【請求項２２】
撮影して得られる画像コンテンツに対応する位置情報が、目的地を示すか否かを判定する判定ステップと、
前記目的地に関する情報を前記画像コンテンツに関する情報として出力する出力ステップとを有し、
前記判定ステップで、前記画像コンテンツに対応する位置情報が前記目的地を示さないと判定された場合、前記出力ステップでは、前記画像コンテンツに対応する位置情報が示す位置に関する情報と前記目的地に関する情報とを、前記画像コンテンツに関する情報として出力することを特徴とする画像処理装置の制御方法。
【請求項２３】
コンピュータを、請求項１乃至２０のいずれか１項に記載の画像処理装置の各手段として動作させるためのプログラム。